(57)【要約】【課題】対象のスキャン中に生成されたデータを検査するためのシステムおよび方法を提供すること。【解決手段】１つのシステムがプロセッサを含む。プロセッサは、対象のＣＴスキャンによって生成された投影データを受信し、投影データに基づいて、３次元体積データセットを生成し、３次元体積データセットに基づいて、動画シーケンスの複数の動画フレームを自動的に生成するように構成される。複数の動画フレームの各々は、少なくとも１つのパラメータについての異なる値を有する。プロセッサはまた、動画シーケンスをフレーム単位方式で表示するための信号を自動的に生成するように構成される。いくつかの実施形態において、プロセッサは、ユーザが、３次元体積データセットを承諾する、または（たとえば、３次元体積データセットの手動検査を実施する、および／または対象のスキャンを再起動するために）動画シーケンスを停止するまで、動画シーケンスを絶え間なく表示する。【選択図】図２
2014151197.tif 000002
【特許請求の範囲】
【請求項１】
対象のスキャン中に生成されたデータを検査するためのシステムであって、
対象のＣＴスキャンによって生成された投影(projection)データを受信し、
前記投影データに基づいて、３次元体積(volumetric)データを生成し、
前記３次元体積データに基づいて、複数の動画フレームの各々が少なくとも１つのパラメータについての異なる値を有する、動画(cinematic)シーケンスの前記複数の動画フレームを自動的に生成し、
前記動画シーケンスをフレーム単位方式で表示するための信号を自動的に生成するように、
構成されたプロセッサ
を含むシステム。
【請求項２】
前記プロセッサが、前記動画シーケンスをフレーム単位方式で自動的に絶え間なく表示するように構成された、請求項１に記載のシステム。
【請求項３】
前記複数の動画フレームが、前記３次元体積データの複数の２次元レンダリングを含む、請求項１に記載のシステム。
【請求項４】
前記少なくとも１つのパラメータが、前記対象の回転の角度を含む、請求項３に記載のシステム。
【請求項５】
前記複数の動画フレームが、前記３次元体積データの複数のスライスを含む、請求項１に記載のシステム。
【請求項６】
前記少なくとも１つのパラメータが、前記対象内の位置を含む、請求項５に記載のシステム。
【請求項７】
前記少なくとも１つのパラメータが、倍率レベルを含む、請求項１に記載のシステム。
【請求項８】
前記少なくとも１つのパラメータが、視野を含む、請求項１に記載のシステム。
【請求項９】
前記少なくとも１つのパラメータが、カラーを含む、請求項１に記載のシステム。
【請求項１０】
前記少なくとも１つのパラメータが、カラースケールを含む、請求項１に記載のシステム。
【請求項１１】
前記少なくとも１つのパラメータが、輝度レベルを含む、請求項１に記載のシステム。
【請求項１２】
前記少なくとも１つのパラメータが、コントラストレベルを含む、請求項１に記載のシステム。
【請求項１３】
前記少なくとも１つのパラメータが、前記対象の並進に(translational)有利な点(vantage point)を含む、請求項１に記載のシステム。
【請求項１４】
前記プロセッサが、ユーザからの停止コマンドを受信し、前記動画シーケンスの表示を停止するようにさらに構成された、請求項１に記載のシステム。
【請求項１５】
前記プロセッサが、ユーザからの承諾(accept)コマンドを受信し、前記承諾コマンドに応答して、前記３次元体積データを記憶場所に転送するようにさらに構成された、請求項１に記載のシステム。
【請求項１６】
前記プロセッサが、前記投影データを受信する前に、ユーザから前記少なくとも１つのパラメータの選択を受信するようにさらに構成された、請求項１に記載のシステム。
【請求項１７】
前記選択が、スキャンプロトコル選択およびスキャンタイプ選択のうちの少なくとも１つを含む、請求項１６に記載のシステム。
【請求項１８】
前記プロセッサが、前記少なくとも１つのパラメータの前記選択に基づいて、前記動画シーケンスの前記複数の動画フレームを自動的に生成するように構成された、請求項１６に記載のシステム。
【請求項１９】
前記プロセッサが、前記３次元体積データの手動検査を提供するようにさらに構成された、請求項１に記載のシステム。
【請求項２０】
対象のスキャン中に生成されたデータを検査するための方法であって、
プロセッサにおいて、対象のＣＴスキャンによって生成された投影データを受信するステップと、
前記プロセッサにより、前記投影データに基づいて、３次元体積データを生成するステップと、
前記プロセッサにより、前記３次元体積データに基づいて、複数の動画フレームの各々が少なくとも１つのパラメータについての異なる値を有する、動画シーケンスの前記複数の動画フレームを自動的に生成するステップと、
前記動画シーケンスをフレーム単位方式で表示するための信号を自動的に生成するステップと
を含む方法。
【請求項２１】
前記複数の動画フレームを生成するステップが、前記３次元体積データの複数の２次元レンダリングを生成するステップを含む、請求項２０に記載の方法。
【請求項２２】
前記少なくとも１つのパラメータが、前記対象の回転の角度を含む、請求項２１に記載の方法。
【請求項２３】
前記複数の動画フレームを生成するステップが、前記３次元体積データの複数のスライスを生成するステップを含む、請求項２０に記載の方法。
【請求項２４】
前記少なくとも１つのパラメータが、前記対象内の位置を含む、請求項２３に記載の方法。
【請求項２５】
前記少なくとも１つのパラメータが、倍率レベルを含む、請求項２０に記載の方法。
【請求項２６】
前記少なくとも１つのパラメータが、視野を含む、請求項２０に記載の方法。
【請求項２７】
前記少なくとも１つのパラメータが、カラーを含む、請求項２０に記載の方法。
【請求項２８】
前記少なくとも１つのパラメータが、カラースケールを含む、請求項２０に記載の方法。
【請求項２９】
前記少なくとも１つのパラメータが、輝度レベルを含む、請求項２０に記載の方法。
【請求項３０】
前記少なくとも１つのパラメータが、コントラストレベルを含む、請求項２０に記載の方法。
【請求項３１】
前記少なくとも１つのパラメータが、前記対象の並進に有利な点を含む、請求項２０に記載の方法。
【請求項３２】
ユーザからの停止コマンドを受信するステップと、前記動画シーケンスを停止するステップとをさらに含む請求項２０に記載の方法。
【請求項３３】
ユーザからの承諾コマンドを受信するステップと、前記承諾コマンドに応答して、前記３次元体積データを記憶場所に記憶するステップとをさらに含む請求項２０に記載の方法。
【請求項３４】
前記投影データを受信するステップの前に、ユーザから前記少なくとも１つのパラメータの選択を受信するステップをさらに含む請求項２０に記載の方法。
【請求項３５】
前記選択を受信するステップが、スキャンプロトコル選択およびスキャンタイプ選択のうちの少なくとも１つを受信するステップを含む、請求項３４に記載の方法。
【請求項３６】
前記複数の動画フレームを自動的に生成するステップが、前記少なくとも１つのパラメータの前記選択に基づいて、前記複数の動画フレームを自動的に生成するステップを含む、請求項３４に記載の方法。
【発明の詳細な説明】
【技術分野】
【０００１】
[0001]本発明の実施形態は、歯科撮像システムなどの医療撮像システムに関する。詳細には、本発明の実施形態は、体積歯科画像を自動的に検査するためのシステムおよび方法に関する。
【背景技術】
【０００２】
[0002]従来のコンピュータ断層撮影（「ＣＴ」）システムは、患者の３次元データを取り込む。情報を取得した後で、特定の患者を治療するために必要なデータをＣＴスキャンが含むことを確認するために、オペレータがデータを見直す。取得されたデータを見直す、または検査するために、既存のシステムは、スキャンから生成された体積画像の２次元レンダリングのセットを生成する。しかし、オペレータは、スキャンの意図された目的のために、画像のビューを調整して、体積画像を、品質および患者の適正な位置付けについて視覚的に検査しなければならない。体積画像の特定のビューまたはアスペクトを手動で選択するには時間がかかり、それが患者のＣＴスキャンを長引かせる（すなわち、オペレータが取り込まれたデータが適切であると確信するまで、患者は、通常、ＣＴスキャン装置を離れることを許可されない）。スキャンの時間が長引くことは、患者の不快感を長引かせ、ＣＴスキャン装置のスループットを低下させる。加えて、手動検査によって、体積画像を外部の記憶場所に転送することが遅れ、それが他のワークステーションでの画像の可用性を遅らせる。
【発明の概要】
【発明が解決しようとする課題】
【０００３】
本願発明の一実施例は、例えば、自動式体積画像検査に関する。
【課題を解決するための手段】
【０００４】
[0003]本発明の実施形態は、対象の、たとえば患者の頭部の、コンピュータ断層撮影（「ＣＴ」）スキャンに基づいて生成された３次元データを自動的に検査するための方法およびシステムを提供する。一実施形態は、対象のスキャン中に生成されたデータを検査するためのシステムを提供する。システムは、プロセッサを含む。プロセッサは、対象のＣＴスキャンによって生成された投影データ（すなわち、ｘ線投影フレームのセットに加え、投影フレームごとのｘ線源およびｘ線検出器の位置）を受信し、投影データから３次元体積データセットを生成し、３次元体積データセットに基づいて、動画シーケンスを形成するための複数の動画フレームを自動的に生成するように構成される。複数の動画フレームの各々は、少なくとも１つのパラメータ（たとえば、対象の回転の角度、対象内の位置、輝度レベル、倍率レベル、など）についての異なる値を有する。プロセッサはまた、動画シーケンスをフレーム単位方式で（たとえば、タッチスクリーンまたは他の表示装置に）表示するための信号を自動的に生成するように構成される。いくつかの実施形態において、プロセッサは、ユーザが、３次元体積データセットを承諾する、または（たとえば、３次元体積データセットの手動検査を実施する、および／または対象のスキャンを再起動するために）シーケンスを停止するまで、動画シーケンスを絶え間なく表示する。
【０００５】
[0004]別の実施形態は、対象のスキャン中に生成されたデータを検査するための方法を提供する。方法は、プロセッサにより、対象のＣＴスキャンによって生成された投影データを受信するステップと、プロセッサにより、投影データから３次元体積データセットを生成するステップと、プロセッサにより、３次元体積データセットに基づいて、複数の動画フレームの各々が少なくとも１つのパラメータについての異なる値を有する、動画シーケンスを形成するための複数の動画フレームを自動的に生成するステップとを含む。方法は、動画シーケンスをフレーム単位方式で表示するための信号を自動的に生成するステップをさらに含む。
【０００６】
[0005]本発明の他の態様は、詳細な説明および添付の図面を検討することによって、明らかになるであろう。
【０００７】
[0006]本特許または出願書類は、少なくとも１つのカラーで制作された図面を含む。カラー図面付きの本特許または特許出願公開の写しは、請求し、必要な手数料を支払うことで、特許庁から提供されることになる。
【図面の簡単な説明】
【０００８】
【図１】[0007]医療撮像システムを示す図である。
【図２】[0008]図１の医療撮像システムを概略的に示す図である。
【図３】[0009]図１の医療撮像システムによって実施されるスキャン中に生成されたデータセットを検査する方法を示す流れ図である。
【図４】[0010]ログイン画面を示す図である。
【図５】[0011]患者選択画面を示す図である。
【図６】[0012]プロトコル選択画面を示す図である。
【図７】[0013]スキャンタイプ選択画面を示す図である。
【図８】[0014]データ取得画面を示す図である。
【図９】[0015]動画シーケンスを生成する方法を示す図である。
【図１０ａ】[0016]動画シーケンスを示す図である。
【図１０ｂ】動画シーケンスを示す図である。
【図１０ｃ】動画シーケンスを示す図である。
【図１０ｄ】動画シーケンスを示す図である。
【図１１】[0017]手動検査画面を示す図である。
【図１２】手動検査画面を示す図である。
【発明を実施するための形態】
【０００９】
[0018]本発明の任意の実施形態が詳細に明らかにされる前に、本発明は、その出願において、以下の説明で述べられる、または以下の図面で示される構成要素の構造および配置の詳細に限定されないことを理解されたい。本発明は、他の実施形態が可能であり、さまざまなやり方で実践される、または実行されることが可能である。
【００１０】
[0019]また、本明細書で使用される表現法および専門用語は、説明の目的のためであって、限定するものとして見なされるべきではないことを理解されたい。本明細書における「含む（ｉｎｃｌｕｄｉｎｇ、ｃｏｍｐｒｉｓｉｎｇ）」、または「有する（ｈａｖｉｎｇ）」、およびそれらの変化形の使用は、そこに列挙された項目、およびその均等物、ならびに追加的な項目を包含することを意味する。用語「取り付けられる（ｍｏｕｎｔｅｄ）」、「接続される（ｃｏｎｎｅｃｔｅｄ）」、および「結合される（ｃｏｕｐｌｅｄ）」は、広義で使用され、直接的および間接的の両方で、取り付ける、接続する、および結合することを包含する。さらに、「接続される」および「結合される」は、物理的もしくは機械的な接続または結合には制限されず、直接的であれ、間接的であれ、電気的接続または電気的結合を含むことがある。また、電子的な通信および通知が、直接接続、無線接続などを含む、任意の知られている手段を使用して実施されてもよい。
【００１１】
[0020]複数のハードウェアに基づく、およびソフトウェアに基づくデバイス、ならびに複数の異なる構造上の構成要素が、本発明を実装するために利用されてよいことに留意されたい。さらに、および以下のパラグラフで説明されるように、図面において示される特定の構成は、本発明の実施形態を例示するように意図され、他の代替的な構成が可能である。
【００１２】
[0021]図１は、医療撮像システム１００を示す。システム１００は、撮像装置１０５と、ワークステーション１１０とを含む。撮像装置１０５は、対象をスキャンするコンピュータ断層撮影（「ＣＴ」）スキャナを含む。ワークステーション１１０は、コンピュータ１１０Ａと、表示装置、たとえばタッチスクリーン１１０Ｂとを含む。いくつかの実施形態において、コンピュータ１１０Ａおよびタッチスクリーン１１０Ｂは、単一のデバイスの中に組み合わされる。また、いくつかの実施形態において、ワークステーション１１０は、コンピュータ１１０Ａおよび／またはタッチスクリーン１１０Ｂに接続された周辺デバイス、たとえば、キーボード、マウス、プリンタなどを含む。加えて、いくつかの実施形態においては、非タッチセンサ式のスクリーンまたはモニタが、タッチスクリーン１１０Ｂの代わりに、またはタッチスクリーン１１０Ｂに加えて使用されることを理解されたい。以下で図２に関してより詳細に説明されるように、コンピュータ１１０Ａは、撮像装置１０５によって生成された投影データを受信し、投影データから３次元体積データを生成し、３次元体積データに基づいて画像を構築し、画像をタッチスクリーン１１０Ｂに表示するように構成される。いくつかの実施形態において、コンピュータ１１０Ａはまた、（たとえば、ユーザ入力に基づいて）撮像装置１０５の動作を制御するように構成される。コンピュータ１１０Ａは、１つもしくは複数の有線接続または無線接続によって、撮像装置１０５に接続されてよい。
【００１３】
[0022]撮像装置１０５は、たとえば、歯科ＣＴデバイスであり、オンボードコンピュータまたはプロセッサ１１２と、放射線検出器１１５と、ガントリ１２０と、撮像される対象または患者用の支持部１２５と、放射線源１３０とを含む。放射線検出器１１５は、放射線源１３０の反対側でガントリ１２０に位置付けられ、複数の検出素子を有する検出器アレイ１３５を含む。スキャン中、患者は、支持部１２５に座る、または、立つ（かつ自分の下顎を下顎支持部１４０に置く）。しかし、本発明は、着席した患者、または立った患者を収容するよう設計されたシステムに限定されない。たとえば、いくつかの実施形態において、患者は横たわることができる。ガントリ１２０は、患者の頭部のまわりを回転し、ガントリ１２０が回転するにつれて、放射線源１３０が動き、さまざまな角度で放射線を患者の頭部に向ける。放射線検出器１１５は、患者を貫通する放射線を検出し、投影フレームのセットを生成し、投影フレームは、撮像装置１０５内のオンボードコンピュータまたはプロセッサ１１２に送られる。オンボードコンピュータ１１２は、未処理の投影フレームを受信し、放射線源１３０および検出器１１５の位置もまた追跡する。スキャン中またはスキャンの後で、オンボードコンピュータ１１２は、投影フレーム、ならびに放射線源１３０および検出器１１５の位置を含む投影データを、ワークステーションのコンピュータ１１０Ａに送る。
【００１４】
[0023]図２に示されるように、コンピュータ１１０Ａは、プロセッサ２００と、非一時的なコンピュータ可読媒体２０２と、入力／出力インターフェース２０４とを含む。他の構造では、コンピュータ１１０Ａが、さらに多い、さらに少ない構成要素、または異なる構成要素を含むことを理解されたい。プロセッサ２００は、媒体２０２から命令およびデータを取り出し、その中でも特に、撮像装置１０５から投影データを受信するための命令を実行し、投影データから３次元体積データを生成し、データをタッチスクリーン１１０Ｂに出力するように構成される。入力／出力インターフェース２０４は、プロセッサ２００からのデータを、外部のシステム、ネットワーク、および／またはデバイスに送信し、外部のシステム、ネットワーク、および／またはデバイスからのデータを受信する。とりわけ、入力／出力インターフェース２０４は、１つもしくは複数の有線接続または無線接続、および／またはネットワーク上で、撮像装置１０５およびタッチスクリーン１１０Ｂと通信する。入力／出力インターフェース２０４はまた、外部源から受信されたデータを媒体２０２に記憶する、および／またはデータをプロセッサ２００に提供することができる。コンピュータ可読媒体２０２は、ユーザインターフェース（「ＵＩ」）アプリケーション（または「アプリケーション」）２１０を含むプログラム命令およびデータを記憶する。プロセッサ２００によって実行されるとき、ＵＩアプリケーション２１０は、ユーザコマンドを受信し、画像および他の情報を、タッチスクリーン１１０Ｂ上でユーザに表示する。
【００１５】
[0024]システム１００は、ＣＴスキャンを起動し、スキャンから生成されたデータセットを検査するために使用されてよい。とりわけ、コンピュータ１１０Ａに含まれるプロセッサ２００が、ユーザインターフェースアプリケーション２１０を実行して、さまざまな画面をタッチスクリーン１１０Ｂ上でユーザに表示する。ユーザは、（タッチスクリーン１１０Ｂそれ自体から、または別個の周辺デバイス、たとえばキーボードもしくはマウスを通して、選択可能な）画面上のボタンを使用して、表示された画面からコマンドを入力して、スキャンを起動し、スキャン中に取得されたデータを検査する。図３に示されるように、プロセスを開始するために、ユーザは、（ステップ２２０で）ユーザアプリケーション２１０にログインする。たとえば、図４は、アプリケーション２１０によって生成され、表示されたログイン画面２２２を示す。ログイン画面２２２は、ユーザにユーザ名およびパスワードの入力を促し、「次へ」または入力ボタン２２４を含む。いくつかの実施形態において、ログイン画面２２２はまた、電源オフボタン２２６およびヘルプボタン２２８を含む。
【００１６】
[0025]以上の説明は、コンピュータ１１０Ａを通して、ユーザが医療撮像システム１００を制御することに言及したが、システム１００はまた、ユーザがシステム１００を直接制御することを可能にする、システム１００自体のオンボード・ユーザインターフェースを含むことができることに留意されたい。オンボード・ユーザインターフェースを通した制御は、コンピュータ１１０Ａを通した制御に代わるものであっても、またはそれに追加されるものであってもよい。
【００１７】
[0026]ユーザがログインした後で、ユーザは、（ステップ２３０で）患者を選択する。たとえば、図５は、アプリケーション２１０によって生成され、表示された患者選択画面２３２を示す。画面２３２は、スケジュールされたスキャンまたは検診のリスト２３４を含む。いくつかの実施形態において、スケジュールされたスキャンまたは検診は、別個のシステムまたはデバイス、たとえば、画像保管通信システム（「ＰＡＣＳ」）または患者管理システムによって提供される。図５に示されるように、画面２３２はまた、リスト２３４に含まれた特定の患者に関する追加のデータを提供する詳細部２３６を含む。リスト２３４から（たとえば、リストされた患者をクリックすることによって）患者を選択した後で、ユーザは、「次へ」ボタン２３８を選択することができる。
【００１８】
[0027]ユーザはまた、（ステップ２４０で）スキャンプロトコルおよびスキャンタイプを選択する。たとえば、図６は、アプリケーション２１０によって生成され、表示されたプロトコル選択画面２４２を示し、図７は、アプリケーション２１０によって生成され、表示されたスキャンタイプ選択画面２４４を示す。両方の画面２４２および２４４は、特定の画面で選択をした後にユーザが選択することができる「次へ」ボタン２４６を含む。加えて、画面２４２および２４４はそれぞれ、前に表示された画面へ戻ることをユーザが選択することができる「戻る」ボタン２４８を含む。いくつかの実施形態において、スキャンプロトコルのうちの１つまたは複数は、ユーザによって事前に選択され、ユーザ用の「お気に入り」として設定される。したがって、ユーザがアプリケーション２１０にログインしたとき、アプリケーション２１０は、ユーザの事前選択した「お気に入り」をプロトコル選択画面２４２上に含む。
【００１９】
[0028]ユーザが、患者、スキャンプロトコル、およびスキャンタイプを選択した後で、ユーザは、（ステップ２５０で）（たとえば、スキャンタイプ選択画面２４４上の「次へ」ボタン２４６を選択することによって）スキャンを起動する。スキャンを開始するために、アプリケーション２１０は、（ステップ２５２で）撮像装置１０５と通信して、ユーザによって指定された通りにスキャンを起動する。いくつかの実施形態において、アプリケーション２１０は、スキャンが実行される間、およびアプリケーション２１０が撮像装置１０５から投影データを受信する間に、図８に示されるような画像取得画面２５４を表示する。
【００２０】
[0029]上で説明されたように、アプリケーション２１０は、投影データに基づいて、３次元体積データセットを生成し、３次元体積データセットに基づいて、動画シーケンスを形成するための複数の動画フレームを自動的に生成し、（ステップ２５６で）動画シーケンスをユーザに表示するための信号を自動的に生成する。ユーザは、ＣＴスキャンが適正に実施されたことを確認するために、動画シーケンスを使用して、３次元体積データセットの品質および位置を検査する。とりわけ、動画シーケンスは、スキャンの品質および位置付けを評価するために有用な３次元体積データセットのアスペクトを含むことができる。たとえば、動画シーケンスは、３次元体積データセットの有用なサンプリングを提供する、患者の頭部の回転のあらかじめ定義された角度（たとえば、左側、正面、および右側）、または患者の頭部のあらかじめ定義されたスライスを表す動画フレームを含むことができる。しかし、ユーザは、検査用の３次元体積データセットのアスペクト（たとえば、データセットによって定義される体積画像のアスペクト）を手動で選択することを要求されないので、アプリケーション２１０は、ＣＴスキャンの結果を検査すること、ならびに全体のスキャニング手順の、速度および効率を向上させる。
【００２１】
[0030]とりわけ、図９に示されるように、アプリケーション２１０は、（ステップ２６０で）対象のＣＴスキャンによって生成された投影データを受信し、投影データから３次元体積データセットを生成する。３次元体積データセットに基づいて、アプリケーション２１０は、（ステップ２６２で）動画シーケンスを形成するための複数の動画フレームを自動的に生成する。いくつかの実施形態において、動画フレームは、３次元体積データセットの２次元レンダリングである。他の実施形態において、動画フレームは、３次元体積データセットのスライスである。複数の動画フレームの各々は、少なくとも１つのパラメータについての異なる値を有して、ユーザに３次元体積データセットのサンプリングを提供する。たとえば、いくつかの実施形態において、複数の動画フレームの各々は、患者の頭部の回転の角度についての異なる値を有する。他の実施形態において、複数の動画フレームの各々は、患者の頭部内の位置についての異なる値を有する。さらに、動画フレームは、それぞれ異なる、倍率レベル、視野、カラー、カラースケール、輝度レベル、コントラストレベル、並進に有利な点などを有することができる。したがって、動画シーケンスの各フレームは、ユーザによって検査され得る、３次元体積データセットの特定のアスペクトを提供する。いくつかの実施形態において、ユーザは、スキャンを起動する前に、動画フレームの差別化パラメータを選択する。他の実施形態において、動画フレームの差別化パラメータは、選択されたスキャンプロトコルおよび／またはスキャンタイプに基づいて定義される。
【００２２】
[0031]動画シーケンスを生成した後で、アプリケーション２１０は、（ステップ２６４で）動画シーケンスをタッチスクリーン１１０Ｂに表示する（すなわち、動画シーケンスをタッチスクリーン１１０Ｂに出力する）、信号を生成する。図１０ａ〜図１０ｄは、アプリケーション２１０によって表示された動画シーケンスの４つのサンプルフレームを示す。図１０ａ〜図１０ｄに示されるように、動画フレームの各々は、患者の頭部の回転の角度（または患者の頭部の観察者の角度の有利な点）を表すパラメータを有し、パラメータの値は、フレームごとに異なる。たとえば、図１０ａは、回転パラメータの角度がおよそ０度の値を有する、動画シーケンスのフレーム３００を示す。図１０ｂは、回転パラメータの角度がおよそ４５度の値を有する、動画シーケンスのフレーム３０２を示す。図１０ｃは、回転パラメータの角度がおよそ９０度の値を有する、動画シーケンスのフレーム３０４を示す。図１０ｄは、回転パラメータの角度がおよそ１８０度の値を有する、動画シーケンスのフレーム３０６を示す。図１０ａ〜図１０ｄに示された動画フレームは、動画シーケンスからのサンプルフレームを表し、動画シーケンスは、さらなる動画フレームを含んでもよいことを理解されたい。また、いくつかの実施形態において、動画フレームを差別化するパラメータについての特定の値は、特定のパラメータのためにあらかじめ定義されている（たとえば、０、４５、９０、および１８０度）ことを理解されたい。他の実施形態においては、ユーザが、スキャンを起動する前に値を設定する。ユーザに選択された値は、上で説明されたように、ユーザの「お気に入り」として設定されてもよい。
【００２３】
[0032]アプリケーション２１０は、動画フレーム３００、３０２、３０４、および３０６をフレーム単位方式で自動的に表示する。たとえば、アプリケーション２１０は、動画シーケンスにおける次のフレームを表示する前に、所定の時間量（たとえば、およそ３から５秒）の間、各動画フレームを表示するように構成されてもよい。いくつかの実施形態において、アプリケーション２１０は、アプリケーション２１０が動画シーケンスを停止するユーザコマンドを受信するまで、動画シーケンスを絶え間なく表示する。たとえば、図３に戻ると、（ステップ２５６で）動画シーケンスが表示されている間に、ユーザは、（ステップ３１０で）動画シーケンスに基づいて、３次元体積データセットの品質を適正に評価できるかどうかを判定することができる。評価できない場合、ユーザは、動画シーケンスを停止し、（ステップ３２０で）３次元体積データセットの特定のアスペクト（すなわち、３次元体積データセットからレンダリングされた体積画像の特定のアスペクト）を手動で選択することができる。たとえば、ユーザは、「次へ」または停止ボタン３２５（図１０ａ〜図１０ｄを参照）を選択して、動画シーケンスを表示することを停止し、ユーザが手動検査を要求することができる後続の画面を見て、検査のための３次元体積データセットのアスペクトを選択することができる。
【００２４】
[0033]アプリケーション２１０は、（ステップ３３０で）手動で選択されたアスペクトをユーザに表示する。たとえば、図１１は、体積画像の手動で選択された冠状断像３３２を示し、図１２は、体積画像の手動で選択された矢状断像を示す。ユーザは、スキャン中に取得された３次元体積データセットの品質をユーザが適正に評価できるまで、（ステップ３４０で）異なるアスペクトまたはビューを繰り返し手動で選択することができる。ユーザが手動検査を終えると、ユーザは、後続の画面をユーザに提供する「次へ」または停止ボタン３２５（図１１および図１２を参照）を選択することができ、ここで、ユーザは、スキャンによって取得された３次元体積データセットを承諾する、または却下することができる。図１１および図１２に示されるように、手動検査中、ユーザはまた、画像品質および位置付けの評価を支援するために、選択されたビューのさまざまな表示パラメータを調整することができる。いくつかの実施形態において、ユーザは、動画シーケンスの表示パラメータを同様に調整することができる。
【００２５】
[0034]ユーザが、（たとえば、単に動画シーケンスを見た後で、または追加の手動検査を実施した後で）（ステップ３５０で）３次元体積データセット（すなわち、３次元データセットからレンダリングされた体積画像）の品質および位置付けが適正であると決定するとき、ユーザは、承諾ボタンを選択する。承諾ボタンを選択することによって、３次元体積データセットを、他のワークステーションまたはコンピュータによってアクセスされ得る記憶場所（たとえば、システム１００の外部）に記憶するよう、アプリケーション２１０に指示する。データセットを記憶することにより、スキャンを終了し、患者に撮像装置１０５から出ることを許可する。ユーザが取得された３次元体積データセットの品質または位置付けが適正ではないと決定した場合、ユーザは、図５〜図７に関して上で説明されたように、スキャンを再起動することができる。
【００２６】
[0035]アプリケーション２１０は、患者の頭部（たとえば、顎）のスキャンを表すデータセットと共に使用されるものとして説明されたが、アプリケーション２１０は、解剖学的組織の任意の部分または任意の対象のスキャンに基づいて生成された投影データに基づいて、異なる目的についての動画シーケンスを形成するための動画フレームを生成するように構成されてよいことを理解されたい。加えて、他のタイプのスキャニング手順が、投影データを生成するために使用されてもよい。加えて、いくつかの実施形態において、ＵＩアプリケーション２１０の機能性は、複数のアプリケーションまたはモジュールの間で分散されてもよい。たとえば、いくつかの実施形態において、アプリケーション２１０の機能性は、動画シーケンスの動画フレームを生成する第１のアプリケーションまたはモジュールと、動画シーケンスをユーザに表示し、ユーザコマンドを受信するユーザインターフェースを生成する第２のアプリケーションまたはモジュールとの間で分散される。
【００２７】
[0036]本発明のさまざまな特徴および効果は、以下の特許請求の範囲において述べられる。
【符号の説明】
【００２８】
１００  医療撮像システム
１０５  撮像装置
１１０  ワークステーション
１１０Ａ  コンピュータ
１１０Ｂ  タッチスクリーン
１１２  オンボードコンピュータまたはプロセッサ
１１５  放射線検出器
１２０  ガントリ
１２５  支持部
１３０  放射線源
１３５  検出器アレイ
１４０  下顎支持部
２００  プロセッサ
２０２  非一時的なコンピュータ可読媒体
２０４  入力／出力インターフェース
２１０  ユーザインターフェースアプリケーション
２２２  ログイン画面
２２４  「次へ」または入力ボタン
２２６  電源オフボタン
２２８  ヘルプボタン
２３２  患者選択画面
２３４  リスト
２３６  詳細部
２３８  「次へ」ボタン
２４２  プロトコル選択画面
２４４  スキャンタイプ選択画面
２４６  「次へ」ボタン
２４８  「戻る」ボタン
２５４  画像取得画面
３００  動画フレーム
３０２  動画フレーム
３０４  動画フレーム
３０６  動画フレーム
３２５  「次へ」または停止ボタン
３３２  冠状断像
【図１】
2014151197.tif 000003
【図２】
2014151197.tif 000004
【図３】
2014151197.tif 000005
【図４】
2014151197.tif 000006
【図５】
2014151197.tif 000007
【図６】
2014151197.tif 000008
【図７】
2014151197.tif 000009
【図８】
2014151197.tif 000010
【図９】
2014151197.tif 000011
【図１０ａ】
2014151197.tif 000012
【図１０ｂ】
2014151197.tif 000013
【図１０ｃ】
2014151197.tif 000014
【図１０ｄ】
2014151197.tif 000015
【図１１】
2014151197.tif 000016
【図１２】
2014151197.tif 000017
【外国語明細書】
2014151197000001.pdf